(57)【要約】【課題】制御部と蓄電部とが分離可能に構成されている無停電電源装置を安全かつ確実に結合させることができるようにする。【解決手段】  コネクタＣは、蓄電部１４３に充電するための第１の電流を制御ユニット６１とバッテリユニット６２との間で流し、コネクタＢは、蓄電部１４３から放電される第２の電流を制御ユニット６１とバッテリユニット６２との間で流す。コネクタCおよびコネクタBのそれぞれは、制御ユニット６１およびバッテリユニット６２のそれぞれの結合する面に設けられ、制御ユニット６１とバッテリユニット６２とを接続させることで、無停電電源装置を安全かつ確実に結合させることができるようになる。本発明は、無停電電源装置に適用できる。【選択図】図６
2007020273.tif 000002
【特許請求の範囲】
【請求項１】
分離可能に構成されている制御部および蓄電部からなる無停電電源装置において、
前記制御部と前記蓄電部とが結合する面に設けられ、前記制御部と前記蓄電部とを接続させるコネクタ
を備える無停電電源装置。
【請求項２】
分離可能に構成されている制御部および蓄電部からなる無停電電源装置において、
前記蓄電部に充電するための第１の電流を前記制御部と前記蓄電部との間で流す第１のコネクタと、
前記制御部と前記蓄電部とを結合させる場合、前記第１のコネクタよりも早く接続される、前記蓄電部から放電される第２の電流を前記制御部と前記蓄電部との間で流す第２のコネクタと、
前記第１のコネクタが接続されていない場合、前記第２のコネクタへの電圧の印加を遮断し、前記第１のコネクタが接続された場合、前記第２のコネクタに電圧を印加させるように、前記第２のコネクタと前記蓄電部との接点を開閉する開閉手段と
を備える無停電電源装置。
【請求項３】
前記第２のコネクタは、前記第１のコネクタよりも長いコネクタである
請求項２に記載の無停電電源装置。
【請求項４】
前記第１のコネクタおよび前記第２のコネクタは、前記制御部および前記蓄電部のそれぞれの対応する位置に設けられる
請求項２に記載の無停電電源装置。
【請求項５】
分離可能に構成されている制御部および蓄電部からなる無停電電源装置であって、前記蓄電部に充電するための第１の電流を前記制御部と前記蓄電部との間で流す第１のコネクタと、前記制御部と前記蓄電部とを結合させる場合、前記第１のコネクタよりも早く接続される、前記蓄電部から放電される第２の電流を前記制御部と前記蓄電部との間で流す第２のコネクタとを備える無停電電源装置を制御する制御方法において、
前記第１のコネクタが接続されていない場合、前記第２のコネクタへの電圧の印加を遮断し、前記第１のコネクタが接続された場合、前記第２のコネクタに電圧を印加させるように、前記第２のコネクタと前記蓄電部との接点を開閉する
制御方法。
【請求項６】
分離可能に構成されている制御部および蓄電部からなる無停電電源装置において、
前記蓄電部に充電するための第１の電流を前記制御部と前記蓄電部との間で流す第１のコネクタと、
前記第１のコネクタが接続されたことを検出する検出手段と、
前記制御部と前記蓄電部とを結合させる場合、前記蓄電部から放電される第２の電流を前記制御部と前記蓄電部との間で流す第２のコネクタと、
前記第１のコネクタの接続が検出されない場合、前記第２のコネクタへの電圧の印加を遮断し、前記第１のコネクタの接続が検出された場合、前記第２のコネクタに電圧を印加させるように、前記第２のコネクタと前記蓄電部との接点を開閉する開閉手段と
を備える無停電電源装置。
【請求項７】
前記第２のコネクタは、前記第１のコネクタよりも太いコネクタである
請求項６に記載の無停電電源装置。
【請求項８】
分離可能に構成されている制御部および蓄電部からなる無停電電源装置であって、前記蓄電部に充電するための第１の電流を前記制御部と前記蓄電部との間で流す第１のコネクタと、前記制御部と前記蓄電部とを結合させる場合、前記蓄電部から放電される第２の電流を前記制御部と前記蓄電部との間で流す第２のコネクタとを備える無停電電源装置を制御する制御方法において、
前記第１のコネクタが接続されたことを検出し、
前記第１のコネクタの接続が検出されない場合、前記第２のコネクタへの電圧の印加を遮断し、前記第１のコネクタの接続が検出された場合、前記第２のコネクタに電圧を印加させるように、前記第２のコネクタと前記蓄電部との接点を開閉する
制御方法。
【発明の詳細な説明】
【技術分野】
【０００１】
本発明は無停電電源装置および制御方法に関し、特に、制御部と蓄電部とが分離可能に構成されている無停電電源装置を安全かつ確実に結合させることができるようにした無停電電源装置および制御方法に関する。
【背景技術】
【０００２】
近年、コンピュータなどの情報処理装置の普及が進み、その重要性は年々増している。しかしながら、情報処理装置が消費する電力は、商用交流電源から直接供給されることが多く、このため、商用交流電源に異常が発生すると（例えば、瞬間的な電圧の低下（瞬断）や突然の停電などが発生すると）、その時点で情報処理装置が処理していた情報が破損したり損失してしまう他、情報処理装置自身（例えば、内蔵するハードディスクなど）が故障してしまう、といった不具合が発生することが多々ある。
【０００３】
そこで、近年、このような不具合の発生を回避するために、無停電電源装置（UPS（Uninterruptible Power Supply））の普及が進んでいる。このUPSは、商用交流電源からの電力が正常の場合、その商用交流電源からの電力を情報処理装置などの負荷機器に供給し、商用交流電源からの電力が異常の場合、その出力を切替えて、内蔵するバッテリからの電力を負荷機器に供給することができる。これにより、UPSが接続された負荷機器は、商用交流電源からの電力に異常が発生しても、UPS内のバッテリから供給される電力を使用することができるので、処理をそのまま続行することが可能になる。
【０００４】
また、UPSには、UPSの各部を制御する機能を備える制御部（制御ユニット）と、電力を蓄積するバッテリの機能を備える蓄電部（バッテリユニット）とが分離可能に構成されているタイプ（いわゆるセパレートタイプ）のものがある。セパレートタイプのUPSは、それらの２つの機能を分離させて別々にすることで、バッテリユニットが制御ユニットによる熱の影響を受けないので、バッテリユニットのバッテリ性能を向上させることができるなどのメリットがある。
【０００５】
図１は、従来のUPS１の外観を示す図である。
【０００６】
UPS１は、セパレートタイプのUPSであり、制御ユニット１１およびバッテリユニット１２から構成される。UPS１は、接続ケーブル２１および信号ケーブル２２によって、制御ユニット１１とバッテリユニット１２とが結合される。
【０００７】
UPS１においては、交流電源からの電力（入力電力）が正常の場合、その入力電力を負荷機器（図示せず）に供給し、入力電力が異常の場合、その出力を切替えて、バッテリユニット１２に蓄積された電力を、接続ケーブル２１を介して、制御ユニット１２に供給することで、制御ユニット１１に接続された負荷機器に電力を供給する。
【０００８】
制御ユニット１１は、UPS１の各部を制御する。
【０００９】
制御ユニット１１は、交流電源からの入力電力が正常の場合、交流電源からの入力電力が負荷機器に供給されるようにUPS１の各部を制御する。また、制御ユニット１１は、入力電力が異常の場合、その出力を、交流電源からの入力電力からバッテリユニット１２に蓄積された電力に切替えて、バッテリユニット１２に蓄積された電力が負荷機器に供給されるようにUPS１の各部を制御する。
【００１０】
制御ユニット１１の背面には、右側から順に、入力電力（商用交流電源）に対するプラグ２３、負荷機器に対する出力コンセント２４、接続ケーブル２１に対するコンセント２５−１、制御ユニット１１の内部で発生した熱を排出するファン２６、および信号ケーブル２２に対するジャック２７−１のそれぞれが設けられている。出力コンセント２４は、図１で示されるように、１以上の所定の個数（図１では縦２×横３の計６個）の出力コンセント２４から構成され、それらの出力コンセント２４のそれぞれには負荷機器のプラグが差し込まれる。
【００１１】
バッテリユニット１２は、制御ユニット１１の制御に基づいて、交流電源からの入力電力が正常の場合、接続ケーブル２１を介して、制御ユニット１１から供給されてくる電力を蓄積する（充電する）。また、バッテリユニット１２は、入力電力が異常の場合、自分が蓄積している電力を、接続ケーブル２１を介して、制御ユニット１２に供給する（放電する）。
【００１２】
バッテリユニット１２の背面には、右側から順に、ブレーカ２８、信号ケーブル２２に対するジャック２７−２、および接続ケーブル２１に対するコンセント２５−２のそれぞれが設けられている。
【００１３】
このセパレートタイプのUPS１においては、制御ユニット１１とバッテリユニット１２とを結合させる場合、例えば、それらに設けられているコンセント２５−１およびコンセント２５−２のそれぞれに、接続ケーブル２１のプラグを差し込んで接続させる。そして、同様に、それらに設けられているジャック２７−１およびジャック２７−２のそれぞれに、信号ケーブル２２のプラグを差し込んで接続させる。その後、プラグ２３を商用交流電源に接続し、ブレーカ２８をオンにすることで、UPS１は動作を開始する。
【００１４】
このとき、UPS１は、交流電源からの入力電力が正常である場合、出力コンセント２４にプラグが差し込まれた負荷機器（図示せず）に対して、その交流電源からの入力電力を供給する。また、UPS１は、入力電力が異常となった場合、出力コンセント２４にプラグが差し込まれた負荷機器に対して、接続ケーブル２１を介して、バッテリユニット１２に蓄積された電力を供給する。
【００１５】
なお、以下、UPSが商用交流電源からの電力（外部から入力される電力）を負荷機器に供給していることを通常運転とも称し、UPSが内蔵するバッテリからの電力を負荷機器に供給していることをバックアップ運転とも称する。また、以下、外部の交流電源などからUPSに供給される（入力される）電力を入力電力と称し、入力電力の電圧および電流を、それぞれ入力電圧および入力電流と称する。また、以下、UPSから負荷機器に供給する（出力する）電力を出力電力と称し、出力電力の電圧および電流を、それぞれ出力電圧および出力電流と称する。
【００１６】
さらに、畜電池部の畜電池が互いに接合可能な一対のコネクタを介して回路部に接続される無停電電源装置であって、コネクタがそれぞれ少なくとも３個以上のピンを備え、回路部のコネクタのピンは、コネクタを接合したときに、接続不適切な畜電池部とは非接続となるように、対応ピンをオープンとし、接続適切な畜電池部とは接続となるように、対応ピンを回路部に接続させる無停電電源装置もある（例えば、特許文献１）。
【００１７】
【特許文献１】特開平７−８７６８５号公報
【発明の開示】
【発明が解決しようとする課題】
【００１８】
しかしながら、制御ユニットとバッテリユニットとを接続ケーブルを使用して結合する場合、その接続ケーブルには大電流が流れることで、結合時に火花が発生する可能性があった。
【００１９】
また、制御ユニットとバッテリユニットとを接続ケーブルを使用して結合する場合、その接続ケーブルには大電流が流れるため、それに耐えうる接続ケーブルを使用する必要があるので、ケーブル径が太くて硬い大電流に耐えられる接続ケーブルを使用し、さらに、大きなコネクタを用いなければならず、そのため、機器のパネルが大きくなってしまい、UPSを設置するための大きなスペースが必要になるという問題があった。
【００２０】
さらに、例えば、特開平７−８７６８５号公報に開示されている無停電電源装置は、不適切な蓄電池ユニットを回路ユニットにコネクタ接合し、ピン同士が接触しても電気的には接続されないようにすることで、使用者による誤接続を防止しているが、不適切な蓄電池ユニットと回路ユニットとのピン同士が接続されてしまう可能性がある。
【００２１】
本発明はこのような状況に鑑みてなされたものであり、制御部と蓄電部とが分離可能に構成されている無停電電源装置を安全かつ確実に結合させることができるようにするものである。
【課題を解決するための手段】
【００２２】
本発明の一側面（第１の側面）の無停電電源装置は、制御部と蓄電部とが結合する面に設けられ、制御部と蓄電部とを接続させるコネクタを備える。
【００２３】
したがって、制御部と蓄電部とが分離可能に構成されているセパレートタイプの無停電電源装置を、安全かつ確実に結合させることができる。
【００２４】
本発明の一側面（第２の側面）の無停電電源装置は、蓄電部に充電するための第１の電流を制御部と蓄電部との間で流す第１のコネクタと、制御部と蓄電部とを結合させる場合、第１のコネクタよりも早く接続される、蓄電部から放電される第２の電流を制御部と蓄電部との間で流す第２のコネクタと、第１のコネクタが接続されていない場合、第２のコネクタへの電圧の印加を遮断し、第１のコネクタが接続された場合、第２のコネクタに電圧を印加させるように、第２のコネクタと蓄電部との接点を開閉する開閉手段とを備える。
【００２５】
本発明の一側面（第２の側面）の無停電電源装置においては、蓄電部に充電するための第１の電流を制御部と蓄電部との間で流す第１のコネクタが接続されていない場合、制御部と蓄電部とを結合させるとき、第１のコネクタよりも早く接続される、蓄電部から放電される第２の電流を制御部と蓄電部との間で流す第２のコネクタへの電圧の印加を遮断し、第１のコネクタが接続された場合、第２のコネクタに電圧を印加させるように、第２のコネクタと蓄電部との接点が開閉される。
【００２６】
したがって、制御部と蓄電部とが分離可能に構成されているセパレートタイプの無停電電源装置を、安全かつ確実に結合させることができる。
【００２７】
無停電電源装置は、例えば、商用交流電源からの電力が正常の場合、その商用交流電源からの電力を負荷機器に供給し、商用交流電源からの電力が異常の場合、その出力を切替えて、内蔵するバッテリからの電力を負荷機器に供給するUPSとして構成される。
【００２８】
第１のコネクタは、例えば、蓄電部に充電するための電流を制御部と蓄電部との間で流すためのプラグまたはジャックなどで構成される。
【００２９】
第２のコネクタは、例えば、蓄電部から放電される第２の電流を制御部と蓄電部との間で流すためのプラグまたはジャックなどで構成される。
【００３０】
また、第２のコネクタは、第１のコネクタよりも長いコネクタである。
【００３１】
したがって、ユーザの操作によって、制御部と蓄電部とを結合させている途中に、第１のコネクタまたは第２のコネクタに誤って接触してしまった場合でも、そのコネクタには電流が流れていないので、安全に取り扱うことができる。
【００３２】
第１のコネクタおよび第２のコネクタは、制御部および蓄電部のそれぞれの対応する位置に設けられる。
【００３３】
したがって、誤ったコネクタの組み合わせのときには接続できなくなり、誤挿入を防止することができる。
【００３４】
開閉手段は、例えば、リレーコイルに電流が流れることで接点が閉じ、リレーコイルに電流が流れなくなることで接点が開放される、リレーから構成される。
【００３５】
したがって、セパレートタイプの無停電電源装置を安全に結合させることができる。
【００３６】
本発明の一側面（第２の側面）の制御方法は、第１のコネクタが接続されていない場合、第２のコネクタへの電圧の印加を遮断し、第１のコネクタが接続された場合、第２のコネクタに電圧を印加させるように、第２のコネクタと蓄電部との接点を開閉する。
【００３７】
本発明の一側面（第２の側面）の制御方法においては、第１のコネクタが接続されていない場合、第２のコネクタへの電圧の印加を遮断し、第１のコネクタが接続された場合、第２のコネクタに電圧を印加させるように、第２のコネクタと蓄電部との接点が開閉される。
【００３８】
したがって、制御部と蓄電部とが分離可能に構成されているセパレートタイプの無停電電源装置を、安全かつ確実に結合させることができる。
【００３９】
本発明の一側面（第３の側面）の無停電電源装置は、蓄電部に充電するための第１の電流を制御部と蓄電部との間で流す第１のコネクタと、第１のコネクタが接続されたことを検出する検出手段と、制御部と蓄電部とを結合させる場合、蓄電部から放電される第２の電流を制御部と蓄電部との間で流す第２のコネクタと、第１のコネクタの接続が検出されない場合、第２のコネクタへの電圧の印加を遮断し、第１のコネクタの接続が検出された場合、第２のコネクタに電圧を印加させるように、第２のコネクタと蓄電部との接点を開閉する開閉手段とを備える。
【００４０】
本発明の一側面（第３の側面）の無停電電源装置においては、蓄電部に充電するための第１の電流を制御部と蓄電部との間で流す第１のコネクタが接続されたことが検出され、第１のコネクタの接続が検出されない場合、制御部と蓄電部とを結合させるとき、蓄電部から放電される第２の電流を制御部と蓄電部との間で流す第２のコネクタへの電圧の印加を遮断し、第１のコネクタの接続が検出された場合、第２のコネクタに電圧を印加させるように、第２のコネクタと蓄電部との接点を開閉される。
【００４１】
したがって、制御部と蓄電部とが分離可能に構成されているセパレートタイプの無停電電源装置を、安全かつ確実に結合させることができる。
【００４２】
無停電電源装置は、例えば、商用交流電源からの電力が正常の場合、その商用交流電源からの電力を負荷機器に供給し、商用交流電源からの電力が異常の場合、その出力を切替えて、内蔵するバッテリからの電力を負荷機器に供給するUPSとして構成される。
【００４３】
第１のコネクタは、例えば、蓄電部に充電するための電流を制御部と蓄電部との間で流すためのプラグまたはジャックなどで構成される。
【００４４】
第２のコネクタは、例えば、蓄電部から放電される第２の電流を制御部と蓄電部との間で流すためのプラグまたはジャックなどで構成される。
【００４５】
また、第２のコネクタは、第１のコネクタよりも太いコネクタである。
【００４６】
したがって、ユーザの操作によって、制御部と蓄電部とを結合させている途中に、第１のコネクタまたは第２のコネクタに誤って接触してしまった場合でも、そのコネクタには電流が流れていないので、安全に取り扱うことができる。
【００４７】
検出手段は、例えば、第１のコネクタが接続されたか否かを検出するスイッチから構成される。
【００４８】
したがって、セパレートタイプの無停電電源装置を安全に結合させることができる。
【００４９】
開閉手段は、例えば、リレーコイルに電流が流れることで接点が閉じ、リレーコイルに電流が流れなくなることで接点が開放される、リレーから構成される。
【００５０】
したがって、セパレートタイプの無停電電源装置を安全に結合させることができる。
【００５１】
本発明の一側面（第３の側面）の制御方法は、第１のコネクタが接続されたことを検出し、第１のコネクタの接続が検出されない場合、第２のコネクタへの電圧の印加を遮断し、第１のコネクタの接続が検出された場合、第２のコネクタに電圧を印加させるように、第２のコネクタと蓄電部との接点を開閉する。
【００５２】
本発明の一側面（第３の側面）の制御方法においては、第１のコネクタが接続されたことが検出され、第１のコネクタの接続が検出されない場合、第２のコネクタへの電圧の印加を遮断し、第１のコネクタの接続が検出された場合、第２のコネクタに電圧を印加させるように、第２のコネクタと蓄電部との接点が開閉される。
【００５３】
したがって、制御部と蓄電部とが分離可能に構成されているセパレートタイプの無停電電源装置を、安全かつ確実に結合させることができる。
【発明の効果】
【００５４】
本発明によれば、制御部と蓄電部とが分離可能に構成されている無停電電源装置を安全かつ確実に結合させることができる。
【発明を実施するための最良の形態】
【００５５】
以下、図面を参照しながら本発明の実施の形態について説明する。
【００５６】
図２は、本発明を適用したUPS５１の外観の例を示す図である。
【００５７】
UPS５１は、制御ユニット６１（制御部）およびバッテリユニット６２（蓄電部）を含むように構成されるセパレートタイプのUPSであり、本発明の無停電電源装置の一例である。
【００５８】
UPS５１は、交流電源からの入力電力が正常の場合、その入力電力を情報処理装置などの負荷機器（図示せず）に供給し、入力電力が異常の場合、その出力を切替えて、バッテリユニット６２に蓄積された電力を制御ユニット６１に供給することで、制御ユニット６１に接続された負荷機器（図示せず）に電力を供給する。
【００５９】
また、詳細は後述するが、UPS５１においては、制御ユニット６１およびバッテリユニット６２のそれぞれの側面が接するように、すなわち、制御ユニット６１とバッテリユニット６２とが、互いに接している面のそれぞれに設けられているコネクタ（図示せず）によって結合される。すなわち、制御ユニット６１およびバッテリユニット６２のそれぞれは、接続用のケーブルによって結合されるのではなく、それらのユニットのそれぞれに設けられているコネクタによって結合される。
【００６０】
制御ユニット６１は、UPS５１の各部を制御する。
【００６１】
制御ユニット６１は、交流電源からの入力電力が正常の場合、入力電力が負荷機器に供給されるようにUPS５１の各部を制御する。制御ユニット６１は、入力電力が異常の場合、その出力を、交流電源からの入力電力から、バッテリユニット６２に蓄積された電力に切替えて、バッテリユニット６２に蓄積された電力が負荷機器に供給されるようにUPS５１の各部を制御する。
【００６２】
制御ユニット６１の背面には、上側から順に、制御ユニット６１の内部で発生した熱を排出するファン７１、負荷機器に対する出力コンセント７２、および入力電力（商用交流電流）に対するプラグ７３のそれぞれが設けられている。出力コンセント７２は、図２で示されるように、１以上の所定の個数（図２の例では縦３×横２の計６個）の出力コンセント７２から構成され、それらの出力コンセント７２のそれぞれには負荷機器のプラグが差し込まれる。なお、出力コンセント７２の個数は、図２の例に限定されず、任意の数でよい。なお、制御ユニット６１の詳細は後述する。
【００６３】
バッテリユニット６２は、交流電源からの入力電力が正常の場合、制御ユニット６１と接続されたコネクタ（図示せず）を介して、制御ユニット６１から供給されてくる電力を蓄積する（充電する）。バッテリユニット６２は、入力電力が異常の場合、制御ユニット６１の制御に応じて、自分が蓄積している電力を、コネクタを介して、制御ユニット６１に供給する（放電する）。なお、バッテリユニット６２の詳細は後述する。
【００６４】
次に、図３および図４を参照して、図２で説明した制御ユニット６１およびバッテリユニット６２のそれぞれの詳細について説明する。
【００６５】
図３は、制御ユニット６１の、バッテリユニット６２と接している側の面の方向から見た側面図である。
【００６６】
制御ユニット６１は、バッテリユニット６２と接している側の面に、バッテリユニット６２と結合するための接続部８１が設けられている。接続部８１は、後述するバッテリユニット６２に設けられている接続部９１のそれぞれと対応するような形状をしており、例えば、接続部８１においては、上側から順に、ジャックＢ＋、ジャックＢ−、プラグＣ１、プラグＣ２、プラグＭのそれぞれが順に配置される。
【００６７】
ジャックＢ＋およびジャックＢ−のそれぞれは、後述するバッテリユニット６２の接続部９１（プラグＢ＋、プラグＢ−）のそれぞれと接続されることで、バッテリユニット６２に蓄積された電力を制御ユニット６１に供給する（放電する）コネクタ（コネクタＢ＋、コネクタＢ−）となる。すなわち、ジャックＢ＋とプラグＢ＋とが接続されることでコネクタＢ＋となり、ジャックＢ−とプラグＢ−とが接続されることでコネクタＢ−となる。
【００６８】
また、プラグＣ１およびプラグＣ２のそれぞれは、後述するバッテリユニット６２の接続部９１（ジャックＣ１、ジャックＣ２）のそれぞれと接続されることで、制御ユニット６１からバッテリユニット６２に充電用の電力を供給する（充電する）コネクタ（コネクタＣ１、コネクタＣ２）となる。すなわち、プラグＣ１とジャックＣ１とが接続されることでコネクタＣ１となり、プラグＣ２とジャックＣ２とが接続されることでコネクタＣ２となる。
【００６９】
さらに、プラグＭは、後述するバッテリユニット６２の接続部９１（ジャックＭ）と接続されることで、制御ユニット６１からバッテリユニット６２にバックアップの状況などを通知するコネクタ（コネクタＭ）となる。すなわち、プラグＭとジャックＭとが接続されることでコネクタＭとなる。
【００７０】
図４は、バッテリユニット６２の、制御ユニット６１と接している側の面の方向から見た側面図である。
【００７１】
バッテリユニット６２は、制御ユニット６１と接している側の面に、制御ユニット６１の接続部８１と接続するための接続部９１が設けられている。接続部９１は、制御ユニット６１に設けられている接続部８１（例えば、図３で示される、ジャックＢ＋、ジャックＢ−、プラグＣ１、プラグＣ２、プラグＭ）のそれぞれと対応するような形状をしている。
【００７２】
例えば、接続部９１においては、上側から順に、制御ユニット６１の接続部８１と対応するように、接続部８１のジャックＢ＋に対応するプラグＢ＋、接続部８１のジャックＢ−に対応するプラグＢ−、接続部８１のプラグＣ１に対応するジャックＣ１、接続部８１のプラグＣ２に対応するジャックＣ２、接続部８１のプラグＭに対応するジャックＭのそれぞれが順に配置される。
【００７３】
また、詳細は後述するが、バッテリユニット６２のプラグＢ＋およびプラグＢ−のそれぞれは、制御ユニット６１（図３）のプラグＣ１、プラグＣ２、およびプラグＭのそれぞれよりも長くなっている。
【００７４】
すなわち、制御ユニット６１およびバッテリユニット６２のそれぞれに設けられたプラグを比較した場合、制御ユニット６１に設けられたプラグ（プラグＣ１、プラグＣ２、プラグＭ）よりも、バッテリユニット６２に設けられたプラグ（プラグＢ＋、プラグＢ−）の方が長いことになる。なお、このとき、バッテリユニット６２のジャックＣ１、ジャックＣ２、およびジャックＭのそれぞれと、制御ユニット６１のジャックＢ＋およびジャックＢ−のそれぞれは、同じ長さとなる。
【００７５】
したがって、制御ユニット６１とバッテリユニット６２とを結合する場合、まず、長い方のコネクタである、コネクタＢ＋およびコネクタＢ−のそれぞれが接続され、その後、短い方のコネクタである、コネクタＣ１、コネクタＣ２、コネクタＭのそれぞれが接続されることになる。換言すれば、バッテリユニット６２のプラグＢ＋およびプラグＢ−のそれぞれは、制御ユニット６１のプラグＣ１、プラグＣ２、およびプラグＭのそれぞれよりも早く対応するジャックとの接続が可能となる。
【００７６】
バッテリユニット６２の背面には、プラグのコンセントなどは設けられておらず、ケーブルなどが接続されることはない。すなわち、制御ユニット６１とバッテリユニット６２とは、それぞれの側面に設けられたコネクタによって接続され、それぞれの背面には接続用のケーブルや信号用の線を接続させる必要がない。
【００７７】
すなわち、ケーブルに大電流が流れる場合、それに耐えうるケーブル径が太くて硬いケーブルを使用し、さらに、大きなコネクタを用いる必要があるが、UPS５１においては、そのような必要はないので、省スペースとなり、場所をとらずに設置することが可能となる。
【００７８】
なお、以下の説明においては、図３および図４を参照して説明した、コネクタＢ＋およびコネクタＢ−を個々に区別する必要がない場合、単に、コネクタＢと称し、コネクタＣ１およびコネクタＣ２を個々に区別する必要がない場合、単に、コネクタＣと称する。
【００７９】
図５は、本発明を適用したUPS５１の一実施の形態を示すブロック図である。
【００８０】
UPS５１は、ブレーカ１０２を介して、交流電源１０１から入力される入力電力が正常の場合、その交流電源１０１からの入力電力を、例えば、パーソナルコンピュータ（PC（Personal Computer））などの負荷機器１０３に供給し、入力電力が異常の場合、その出力を切替えて、バッテリからの電力を負荷機器１０３に供給する。また、UPS５１は、制御ユニット６１およびバッテリユニット６２を含むように構成される。
【００８１】
制御ユニット６１は、コネクタＢ、コネクタＣ、およびコネクタＭのそれぞれによって、バッテリユニット６２と結合され、UPS５１の各部を制御する。
【００８２】
すなわち、制御ユニット６１は、交流電源１０１から入力される入力電力が正常の場合、交流電源１０１からの入力電力が負荷機器１０３に供給されるようにUPS５１の各部を制御するとともに、コネクタＣを介して、充電用の電力（充電電流）をバッテリユニット６２に供給することで、バッテリユニット６２に電力を蓄積させる（充電させる）。
【００８３】
また、制御ユニット６１は、交流電源１０１から入力される入力電力が異常の場合、その出力を、交流電源１０１からバッテリユニット６２に蓄積された電力に切替えて、コネクタＢを介して、バッテリユニット６２に蓄積された電力が負荷機器１０３に供給される（放電される）ようにUPS５１の各部を制御する。
【００８４】
さらに、制御ユニット６１は、UPS５１全体を制御して、バックアップ運転をしている場合、コネクタＭを介して、UPS５１がバックアップ運転で動作していることを示す信号（以下、制御信号と称する）をバッテリユニット６２に供給する。
【００８５】
制御ユニット６１は、電力供給部１１１およびCPU（Central Processing Unit）１１２を含むように構成される。
【００８６】
電力供給部１１１の入力側には、ブレーカ１０２を介して、交流電源１０１が接続され、出力側には、負荷機器１０３が接続されている。電力供給部１１１は、入力電源である交流電源１０１が正常、かつ、ブレーカ１０２がオンされた状態で、交流電源１０１から供給される入力電力が正常である場合、すなわち、入力電力の各種のパラメータ（例えば、電圧値、電流値など）がUPS５１の許容範囲内である場合、交流電源１０１からの入力電力を負荷機器１０３に供給する。これに対して、交流電源１０１に停電などの異常が発生したり、ブレーカ１０２がオフされたりして、入力電力に異常が発生した場合、すなわち、入力電力の各種のパラメータがUPS５１の許容範囲外となった場合、電力供給部１１１は、後述するバッテリユニット６２からの電力を負荷機器１０３に供給する。
【００８７】
なお、電力供給部１１１の電力供給方式（すなわち、その構成）は、図５の例では、説明の簡略上、いわゆる常時商用給電方式とされているが、図５の例に限定されず、いわゆるラインインタラクティブ方式や、いわゆる常時インバータ方式といった様々な方式を適用することが可能である。また、負荷機器１０３に正弦波により近い波形の電圧を印加できるよう、図示はしないが、フィルタ部などの、他の構成要素が設けられることもある。
【００８８】
電力供給部１１１は、スイッチ１２１、コンバータ１２３、インバータ１２４、スイッチ１２５、およびスイッチ１２６を含むように構成される。
【００８９】
スイッチ１２１は、例えば、リレーやコンタクタなどにより構成される。スイッチ１２１は、入力電圧が所定の範囲内である場合、自動的にオンし、入力電圧が所定の範囲外である場合、自動的にオフする。また、スイッチ１２１は、例えば、UPS５１に故障が発生したり、入力電力に異常が発生した場合、CPU１１２の制御の基に、強制的にオフされる。
【００９０】
ライン１２２は、交流電源１０１からの入力電力を伝播するラインである。すなわち、後述するように、入力電力が正常である場合（すなわち、通常の場合）、CPU１１２の制御の基に、スイッチ１２５の入力がライン１２２側に切替えられ、交流電源１０１からの入力電力が、ライン１２２、スイッチ１２５、およびスイッチ１２６を介して、負荷機器１０３に供給される。
【００９１】
コンバータ１２３は、コネクタＢを介して、バッテリユニット６２から印加される交流の電圧を、所定のレベルの直流電圧に変換し、変換した直流電圧をインバータ１２４に出力する（印加する）。
【００９２】
インバータ１２４は、コンバータ１２３により印加される直流電圧を、交流電源１０１と同一の周波数、かつ、ほぼ同一のレベルの交流電圧に変換し、スイッチ１２５およびスイッチ１２６を介して、負荷機器１０３に交流電圧を印加する（出力電力を供給する）。
【００９３】
スイッチ１２５は、上述したように、CPU１１２の制御の基に、その入力が切替えられる。すなわち、CPU１１２は、UPS５１が稼動状態であって、かつ、入力電力に異常が発生している場合、スイッチ１２５の入力をインバータ１２４側に切替え、それ以外の場合、スイッチ１２５の入力をライン１２２側にする。
【００９４】
スイッチ１２６は、CPU１１２の制御の基に、その状態が切替えられる。すなわち、CPU１１２は、UPS５１が稼動状態の場合、スイッチ１２６をオンにし、それ以外の場合、スイッチ１２６をオフにする。
【００９５】
CPU１１２は、制御ユニット６１の各部を制御する。
【００９６】
CPU１１２は、スイッチ１２１、スイッチ１２５、およびスイッチ１２６のそれぞれのスイッチング動作を制御する。また、CPU１１２は、UPS５１がバックアップ運転をしている場合、コネクタＭを介して、制御信号をバッテリユニット６２に供給する。
【００９７】
なお、図示はしていないが、制御ユニット６１は、例えば、スイッチやボタンなどにより構成され、ユーザがUPS５１に各種の指令を入力するときに操作される操作部、LCD（Liquid Crystal Display）などにより構成され、UPS５１の状態、入力電力に関するデータなどを表示する表示部、またはフラッシュメモリ、EEPROM（Electrically Erasable and Programmable Read Only Memory）、ハードディスクなどの不揮発性の記憶媒体により構成され、CPU１１２から供給される各種のデータなどを記憶する記憶部などを含むように構成することができる。
【００９８】
バッテリユニット６２は、入力電力に異常が発生した場合、負荷機器１０３に電力を供給する予備電源（バックアップ電源）である。すなわち、制御ユニット６１は、入力電力に異常が発生した場合、スイッチ１２５の入力をインバータ１２４側に切替える。すると、バッテリユニット６２は放電し、交流の電圧をコンバータ１２３に印加する。また、このとき、制御ユニット６１は、コネクタＭを介して、制御信号をバッテリユニット６２に供給する。
【００９９】
バッテリユニット６２は、リレー１４１、充電回路１４２、および蓄電部１４３を含むように構成される。
【０１００】
リレー１４１は、リレーコイル１４１−１および接点１４１−２から構成され、リレーコイル１４１−１に電流が流れることで接点１４１−２が閉じる。一方、リレーコイル１４１−１に電流が流れなくなることで、接点１４１−２が開放される。すなわち、リレー１４１は、リレーコイル１４１−１に流れる電流に応じて、スイッチング動作をする。
【０１０１】
以下、リレーコイル１４１−１に電流が流れることで、接点１４１−２が閉じることをリレーがオンすると称し、リレーコイル１４１−１に電流が流れなくなることで、接点１４１−２が開放されることをリレーがオフすると称する。
【０１０２】
充電回路１４２は、コネクタＣを介して、制御ユニット６１から印加される交流の電圧を、蓄電部１４３に印加する。すなわち、蓄電部１４３に注目すると、充電回路１４２は、蓄電部１４３の充電器であり、コネクタＣを介して、制御ユニット６１から供給された充電電流を蓄電部１４３に供給する。
【０１０３】
またこのとき、コネクタＣを介して、制御ユニット６１から印加される交流の電圧が充電回路１４２に入力されることで、リレーコイル１４１−１に電流が流れることになり、リレーがオンする。すなわち、リレーがオンしているので、コネクタＢを介して、蓄電部１４３に蓄えられた交流の電圧を制御ユニット６１に印加することが可能となる。
【０１０４】
さらに、充電回路１４２は、CPU１１２がスイッチ１２５の入力をインバータ１２４側に切替え、制御ユニット６１をバックアップ運転させた場合、コネクタＭを介して、CPU１１２から供給されてくる制御信号に応じて停止することで、蓄電部１４３への充電電流の供給（直流電圧の印加）を停止する。
【０１０５】
蓄電部１４３は、入力電力に異常が発生した場合、負荷機器１０３に電力を供給する予備電源（バックアップ電源）である。すなわち、CPU１１２は、入力電力に異常が発生した場合、スイッチ１２５の入力をインバータ１２４側に切替える。すると、コネクタＢを介して、蓄電部１４３は放電し、交流の電圧を、コンバータ１２３に印加する。換言すれば、制御ユニット６１からの交流の電圧が充電回路１４２に印加され、リレーがオンしているので、コネクタＢを介して、蓄電部１４３に蓄えられた電力を、制御ユニット６１に印加することができる。
【０１０６】
またこのとき（UPS５１がバックアップ運転中の場合）、蓄電部１４３は、自分が蓄えた電力を放電するが、充電回路１４２からの充電電流が供給されなくなるので、電力を蓄積（充電）しなくなる。
【０１０７】
図６は、UPS５１における、制御ユニット６１とバッテリユニット６２との結合時の動作について説明する図である。図５と同様の部分には、同様の符号が付してあり、その説明は（適宜）省略する。また、制御ユニット６１においては、説明を分かり易くするため、バッテリユニット６２と接続するコネクタのみを表現しているが、実際には、図５によって説明した制御ユニット６１と同様の構成となる。さらに、図中の矢印は電流の向きを示す。
【０１０８】
図６で示される例において、上述したように、制御ユニット６１に設けられた接続部８１のうち、図中上側から２つがジャック（Ｂ＋，Ｂ−）となり、図中下側から３つがプラグ（Ｃ１，Ｃ２，Ｍ）となる。また、バッテリユニット６２に設けられた接続部９１のうち、図中上側から２つがプラグ（Ｂ＋，Ｂ−）となり、図中下側から３つがジャック（Ｃ１，Ｃ２，Ｍ）となる。
【０１０９】
これらのコネクタにおいては、図６で示すように、制御ユニット６１のプラグ（Ｃ１，Ｃ２，Ｍ）よりも、バッテリユニット６２のプラグ（Ｂ＋，Ｂ−）の方が長くなっている。また、ジャックはプラグに対応して、バッテリユニット６２のジャック（Ｃ１，Ｃ２，Ｍ）よりも、制御ユニット６１のジャック（Ｂ＋，Ｂ−）の方が長くなっているが、実際に外部に露出している部分は同じ長さとなる。
【０１１０】
ここで、ユーザの操作によって、このようなコネクタが設けられた制御ユニット６１と、バッテリユニット６２とを結合させる場合のUPS５１の動作を説明する。すなわち、以下において説明する動作の例は、図６において、ユーザの操作によって、例えば、バッテリユニット６２を左側に平行移動させて（または、制御ユニット６１を右側に平行移動させて）、互いの対応したプラグまたはジャックのそれぞれが接続されるようにする場合の動作となる。
【０１１１】
まず、バッテリユニット６２に設けられた長い方のプラグ（Ｂ＋，Ｂ−）が、制御ユニット６１に設けられた短い方のプラグ（Ｃ１，Ｃ２，Ｍ）よりも先に接続される。すなわち、制御ユニット６１のジャックＢ＋とバッテリユニット６２のプラグＢ＋とが接続され、制御ユニット６１のジャックＢ−とバッテリユニット６２のプラグＢ−とが接続される。換言すれば、最初にコネクタＢが接続されるとも言える。
【０１１２】
このとき、コネクタＢが接続されたので、バッテリユニット６２は、蓄電部１４３に蓄えられた電圧を制御ユニット６１に印加することになるが、接点１４１−２が開放されており、リレーがオフしているので、制御ユニット６１には、バッテリユニット６２による電圧が印加されていないことになる。すなわち、コネクタＢは接続されているが、電圧が印加されていないことになる。
【０１１３】
また、コネクタＢが接続された後、ユーザの操作によって、さらに、バッテリユニット６２が左側に平行移動させられた場合、短い方のプラグ（Ｃ１，Ｃ２，Ｍ）が接続される。すなわち、制御ユニット６１のプラグＣ１とバッテリユニット６２のジャックＣ１とが接続され、制御ユニット６１のプラグＣ２とバッテリユニット６２のジャックＣ２とが接続され、制御ユニット６１のプラグＭとバッテリユニット６２のジャックＭとが接続される。換言すれば、コネクタＣおよびコネクタＭのそれぞれが接続されるとも言える。
【０１１４】
このとき、コネクタＣが接続されたので、バッテリユニット６２には、制御ユニット６１から充電電流が流れ込んで、リレーコイル１４１−１に流れることになり、リレーがオンする。すなわち、リレーがオンしているので、蓄電部１４３に蓄えられた電力を制御ユニット６１に供給することが可能となる。換言すれば、制御ユニット６１には、バッテリユニット６２による電圧が印加されることになる。
【０１１５】
そして、充電回路１４２は、制御ユニット６１から入力されてくる充電電流を蓄電部１４３に供給することで、所定のレベルの直流電圧を蓄電部１４３に印加する。
【０１１６】
すなわち、UPS５１においては、コネクタＢが、コネクタＣおよびコネクタＭのそれぞれよりも先に接続されるが、そのときリレーがオフしているので、コネクタＢの接続と同時に、バッテリユニット６２による電圧を制御ユニット６１に印加するのではなく、コネクタＣが接続されてリレーがオンした後に、バッテリユニット６２による電圧を制御ユニット６１に印加することになる。
【０１１７】
なお、充電回路１４２は、コネクタＭが接続されたので、UPS５１がバックアップ動作をしている場合、CPU１１２から供給される制御信号を基に、充電電流の蓄電部１４３への供給を停止する。
【０１１８】
このように、コネクタＢおよびコネクタＣのそれぞれが接続された後に、バッテリユニット６２による電圧が、制御ユニット６１に印加されるようになるので、例えば、ユーザの操作によって、制御ユニット６１とバッテリユニット６２とを接続させている途中に、コネクタＢまたはコネクタＣに誤って接触してしまった場合でも、そのコネクタには電流が流れていないので、安全に取り扱うことができる。
【０１１９】
また、図６においては、プラグの長さを変えることで、コネクタＢおよびコネクタＣのそれぞれが接続された後に、バッテリユニット６２による電圧が、制御ユニット６１に印加されるようにしたが、本発明はそれに限定されるものではない。
【０１２０】
図７は、UPS５１における、制御ユニット６１とバッテリユニット６２との結合時の他の動作の一例について説明する図である。図６と同様の部分には、同様の符号が付してあり、その説明は省略する。
【０１２１】
図７で示される例において、制御ユニット６１のプラグ（Ｃ１，Ｃ２，Ｍ）と、バッテリユニット６２のプラグ（Ｂ＋，Ｂ−）とは、同じ長さであるが、コネクタの太さが、制御ユニット６１のプラグ（Ｃ１，Ｃ２，Ｍ）よりも、バッテリユニット６２のプラグ（Ｂ＋，Ｂ−）の方が太くなっている。また、ジャックはプラグに対応して、バッテリユニット６２のジャック（Ｃ１，Ｃ２，Ｍ）よりも、制御ユニット６１のジャック（Ｂ＋，Ｂ−）の方が太くなっている。
【０１２２】
さらに、バッテリユニット６２には、ジャックＣ２とリレーコイル１４１−１との間に、プラグＣ２が挿入されたことを検知するスイッチ１５１が設けられている。すなわち、バッテリユニット６２は、コネクタＣが接続された場合、スイッチ１５１をオンにし、それ以外の場合、スイッチ１５１をオフにする。
【０１２３】
ここで、ユーザの操作によって、このようなコネクタが設けられた制御ユニット６１と、バッテリユニット６２とを結合させる場合のUPS５１の動作を説明する。
【０１２４】
まず、バッテリユニット６２に設けられた太い方のプラグ（Ｂ＋，Ｂ−）と、制御ユニット６１に設けられた細い方のプラグ（Ｃ１，Ｃ２，Ｍ）とが同時に接続される。すなわち、制御ユニット６１およびバッテリユニット６２のそれぞれのコネクタがすべて接続される。
【０１２５】
このとき、コネクタＢが接続されたので、バッテリユニット６２は、蓄電部１４３に蓄えられた電圧を制御ユニット６１に印加することになるが、接点１４１−２が開放されており、リレーがオフしているので、制御ユニット６１には、バッテリユニット６２による電圧が印加されていないことになる。すなわち、コネクタＢは接続されているが、電圧が印加されていないことになる。
【０１２６】
また、コネクタＢが接続されたと同時にコネクタＣも接続されて、スイッチ１５１がオンするので、バッテリユニット６２には、制御ユニット６１から充電電流が流れ込んで、リレーコイル１４１−１に流れることになり、リレーがオンする。すなわち、リレーがオンしているので、蓄電部１４３に蓄えられた電力を制御ユニット６１に供給することが可能となる。換言すれば、制御ユニット６１には、バッテリユニット６２による電圧が印加されることになる。
【０１２７】
そして、充電回路１４２は、制御ユニット６１から入力されてくる充電電流を蓄電部１４３に供給することで、所定のレベルの直流電圧を蓄電部１４３に印加する。
【０１２８】
すなわち、図７のUPS５１においては、コネクタＢとコネクタＣとが同時に接続されるが、そのときリレーがオフしており、その後コネクタＣが確実に接続されてから、スイッチ１５１がオンした後に、リレーがオンすることで、バッテリユニット６２による電圧を制御ユニット６１に印加することになる。
【０１２９】
このように、コネクタＢと、それ以外のコネクタＣおよびコネクタＭとは、太さを変えることで誤挿入を防止することができる。また、コネクタＣが挿入されたことを検知するスイッチ１５１を設けることで、コネクタＣが確実に接続されたときに、リレーがオンすることで、バッテリユニット６２による電圧を制御ユニット６１に印加されるようになるので、例えば、ユーザの操作によって、制御ユニット６１とバッテリユニット６２とを接続させている途中に、コネクタＢまたはコネクタＣに誤って接触してしまった場合でも、そのコネクタには電流が流れていないので、安全に取り扱うことができる。
【０１３０】
図８は、コネクタの組み合わせの例を示す図である。
【０１３１】
図８で示される例において、左側は制御ユニット６１の側面（バッテリユニット６２と接する側の面）を示し、右側はバッテリユニット６２の側面（制御ユニット６１と接する側の面）を示している。また、“○”が記された四角はプラグを示し、“×”が記された四角はジャックを示し、さらに、図中の矢印は矢印が指し示す制御ユニット６１とバッテリユニット６２との組み合わせが可能となるか否か、すなわち、矢印に付された記号が“○”である場合、その組み合わせは接続が可能であることを示し、矢印に付された記号が“×”である場合、その組み合わせは接続が不可能であることを示す。
【０１３２】
図中左側の上側から１番目の制御ユニット６１の接続部８１には、上側から順に、ジャック、ジャック、プラグ、プラグ、プラグのそれぞれが、縦一列で配置されている。この制御ユニット６１の接続部８１と接続可能となるのは、右側の上から１番目のバッテリユニット６２となる。このバッテリユニット６２の接続部９１には、上側から順に、図中左側の上側から１番目の制御ユニット６１とはプラグとジャックとが逆になるように、プラグ、プラグ、ジャック、ジャック、ジャックのそれぞれが、縦一列に配置されている。すなわち、このコネクタの組み合わせは、図２乃至図６を参照して説明した、制御ユニット６１の接続部８１と、バッテリユニット６２の接続部９１との組み合わせと同様の組み合わせとなる。
【０１３３】
また、図中左側の上側から１番目の制御ユニット６１と、図中右側の上側から２番目のバッテリユニット６２とは、プラグとジャックとが対応せず、図中右側の上側から３番目のバッテリユニット６２とは、対応するプラグまたはジャックの配置が一致していないので、接続させることができない。
【０１３４】
次に、図中左側の上側から２番目の制御ユニット６１の接続部８１には、上側から順に、ジャック、プラグ、プラグ、プラグ、ジャックのそれぞれが、縦一列で配置されている。この制御ユニット６１の接続部８１と接続可能となるのは、図中右側の上側から２番目のバッテリユニット６２となる。このバッテリユニット６２の接続部９１には、上側から順に、図中左側の上から２番目の制御ユニット６１とはプラグとジャックとが逆になるように、プラグ、ジャック、ジャック、ジャック、プラグのそれぞれが、縦一列に配置されている。
【０１３５】
また、図中左側の上側から２番目の制御ユニット６１と、図中右側の上側から１番目のバッテリユニット６２とは、プラグとジャックとが対応せず、図中右側の上側から３番目のバッテリユニット６２とは、対応するプラグまたはジャックの配置が一致していないので、接続させることができない。
【０１３６】
次に、左側の上側から３番目の制御ユニット６１の接続部８１には、上側から順に、ジャック、ジャック、プラグ、プラグ、プラグのそれぞれが、偶数番目のコネクタが横方向にずれるように配置されている。この制御ユニット６１の接続部８１と接続可能となるのは、右側の上側から３番目のバッテリユニット６２となる。このバッテリユニット６２の接続部９１には、上側から順に、図中左側の上から３番目の制御ユニット６１とはプラグとジャックとが逆になるように、プラグ、プラグ、ジャック、ジャック、ジャックのそれぞれが、偶数番目のコネクタが横方向にずれるように配置されている。
【０１３７】
また、左側の上側から３番目の制御ユニット６１と、図中右側の上側から１番目のバッテリユニット６２とは、対応するプラグまたはジャックの配置が一致していないので接続することができず、図中右側の上側から２番目のバッテリユニット６２とは、プラグとジャックとが対応せず、かつ、対応するプラグまたはジャックの配置も一致していないので、接続することができない。
【０１３８】
すなわち、UPS５１においては、制御ユニット６１とバッテリユニット６２とは、それぞれに合った組み合わせで使用されるべきものであるので、制御ユニット６１とバッテリユニット６２との組み合わせに応じて、コネクタの仕様（プラグまたはジャック）または配置を変えることで、誤ったコネクタの組み合わせのときには接続できなくなり、誤挿入を防止することができる。
【０１３９】
なお、上述した例における、制御ユニット６１およびバッテリユニット６２のそれぞれに設けられたコネクタの形状、配置、または数は一例であり、例えば、接続部８１をすべてプラグとし、それに対応させて接続部９１をすべてジャックとしたり、接続部８１および接続部９１のそれぞれを横一列に配置したり、接続部８１および接続部９１のそれぞれを３個ずつ設けるようにするなど、コネクタの形状、配置、または数のそれぞれが、接続部８１と接続部９１との間で対応すればよい。
【０１４０】
また、上述した例においては、コネクタの形状として、プラグまたはジャックを一例として説明したが、それ以外の形状であってもよい。
【０１４１】
図９は、コネクタの形状の他の一例を示す図である。
【０１４２】
図９で示される例において、コネクタ１６１は、コネクタ１６１−１の凹となっている部分（凹部）と、コネクタ１６１−２の凸となっている部分（凸部）とが組み合わされることで、コネクタ１６１−１とコネクタ１６１−２とが接続される。このとき、コネクタ１６１―１の凹部に設けられた端子と、コネクタ１６１−２の凸部に設けられた端子とが接続される。
【０１４３】
例えば、上述した、制御ユニット６１およびバッテリユニット６２のそれぞれに設けられているコネクタのうち、形状がジャックであるコネクタの代わりに、コネクタ１６１−１を設けるようにし、形状がプラグであるコネクタの代わりに、コネクタ１６１−２を設けるようにする。すなわち、図９で示す形状のコネクタであっても、上述したコネクタＢ、コネクタＣ、およびコネクタＭのそれぞれと同様の機能を実現することができるので、制御ユニット６１とバッテリユニット６２とを結合させることが可能となる。
【０１４４】
なお、コネクタの形状は、それ以外にも、例えば、複数のピンからなるコネクタなど、大電流に対応したコネクタであればよい。
【０１４５】
ところで、図５の本発明を適用したUPS５１の一実施の形態においては、リレー１４１がスイッチング動作することで、バッテリユニット６２から制御ユニット６１に印加される電圧を制御しているが、本発明においては、リレー１４１を含まない構成とすることも可能である。
【０１４６】
図１０は、リレー１４１を含まない場合の、本発明を適用したUPS５１の一実施の形態の他の構成を示すブロック図である。図５に示す場合と同様の部分には、同一の番号が付してある。
【０１４７】
すなわち、図１０において、制御ユニット６１は、図５の制御ユニット６１と同様の構成と機能を有することができる。したがって、制御ユニット６１の説明は省略する。ただし、図１０のバッテリユニット６２は、充電回路１４２および蓄電部１４３のみを含むように構成され、リレー１４１を含まない構成となる。
【０１４８】
充電回路１４２は、コネクタＣを介して、制御ユニット６１から印加される交流の電圧を、蓄電部１４３に印可する。
【０１４９】
蓄電部１４３は、入力電力に異常が発生した場合、負荷機器１０３に電力を供給する予備電源（バックアップ電源）である。すなわち、CPU１１２は、入力電力に異常が発生した場合、スイッチ１２５の入力をインバータ１２４側に切替える。すると、コネクタＢを介して、蓄電部１４３は放電し、交流の電圧を、コンバータ１２３に印加する。
【０１５０】
すなわち、蓄電部１４３は、コネクタＣが接続されたか否かに関係なく、コネクタＢを介して、交流の電圧を、コンバータ１２３に印加する。
【０１５１】
このように、リレー１４１を含まずに、より簡単な構成で、UPS５１を安全かつ確実に結合させることもできる。
【０１５２】
以上のように、本発明によれば、制御ユニット６１とバッテリユニット６２とを接続ケーブルを使用せずに、制御ユニット６１およびバッテリユニット６２のそれぞれの側面に設けられたコネクタによってそれらのユニットを結合させ、さらに、コネクタの接続が完了してから電圧を印加させるので、ユーザは安全にそれらのユニットを結合させることができる。また、接続ケーブルを使用しないので、機器のパネルを小型化することができ、またUPS５１を設置する際のスペースを押さえることができる。
【０１５３】
さらに、本発明によれば、制御ユニット６１とバッテリユニット６２との組み合わせに応じて、コネクタの仕様（例えばプラグとジャックなど）または配置を変えることで、誤ったコネクタの組み合わせのときには接続できなくなり、誤挿入を防止することができる。
【０１５４】
また、接続ケーブルによって接続させる場合、接続ケーブルのプラグを差す位置がわかりにくいが、本発明によれば、制御ユニット６１およびバッテリユニット６２のそれぞれの側面を合わせるように結合させることで、コネクタも接続させることができるので、容易かつ確実に接続させることができる。
【０１５５】
なお、上述した例においては、UPSの各部を制御する制御ユニット６１と、電力を蓄積するバッテリ機能を備えるバッテリユニット６２とが分離可能に構成されるセパレートタイプのUPSについて説明したが、本発明は、制御ユニット６１がバッテリユニット６２の機能を備え（すなわち、制御ユニット６１単独でUPSとして機能する）、そのバッテリユニット６２の機能を備えた制御ユニット６１に、増設用のバッテリユニット６２を結合させる場合に適用することも可能である。この場合、バッテリユニット６２の機能を備えた制御ユニット６１の接続部８１と、増設用のバッテリユニット６２の接続部９１とが接続されることになる。
【０１５６】
また、本発明は、制御ユニット６１とバッテリユニット６２とが結合されている場合に、バッテリユニット６２の制御ユニット６１と結合されていない面（例えば、制御ユニット６１と結合している面の反対の面）に、さらに、増設用のバッテリユニット６２を結合させるときに適用することも可能である。この場合、バッテリユニット６２の制御ユニット６１と結合されていない面に、例えば、制御ユニット６１の接続部８１と同じ配置の接続部を設けることで、増設用のバッテリユニット６２の接続部９１と接続させることが可能となる。さらに、例えば、増設用のバッテリユニット６２の所定の面に接続部９１を設け、所定の面の反対の面に、接続部８１と同じ配置の接続部を設けることで、複数のバッテリユニット６２を、いわゆるラダー式に増設することも可能となる。
【０１５７】
また、本発明の実施の形態は、上述した実施の形態に限定されるものではなく、本発明の要旨を逸脱しない範囲において種々の変更が可能である。
【図面の簡単な説明】
【０１５８】
【図１】従来のUPSの外観を示す図である。
【図２】本発明を適用したUPSの外観の例を示す図である。
【図３】制御ユニットの、バッテリユニットと接している側の面の方向から見た側面図である。
【図４】バッテリユニットの、制御ユニットと接している側の面の方向から見た側面図である。
【図５】本発明を適用したUPSの一実施の形態を示すブロック図である。
【図６】制御ユニットとバッテリユニットとの結合時の動作について説明する図である。
【図７】制御ユニットとバッテリユニットとの結合時の他の動作の一例について説明する図である。
【図８】コネクタの組み合わせの例を示す図である。
【図９】コネクタの形状の他の一例を示す図である。
【図１０】リレーを含まない場合の、本発明を適用したUPSの一実施の形態の他の構成を示すブロック図である。
【符号の説明】
【０１５９】
５１  UPS
６１  制御ユニット
６２  バッテリユニット
８１  接続部
９１  接続部
１１１  電力供給部
１１２  CPU
１２１  スイッチ
１２３  コンバータ
１２４  インバータ
１２５  スイッチ
１２５  スイッチ
１４１  リレー（開閉手段）
１４１−１  接点
１４１−２  リレーコイル
１４２  充電回路
１４３  蓄電部
１５１  スイッチ（検出手段）
Ｂ＋，Ｂ−，Ｂ  コネクタ（第２のコネクタ）
Ｃ１，Ｃ２，Ｃ，Ｍ  コネクタ（第１のコネクタ）
【図１】
2007020273.tif 000003
【図２】
2007020273.tif 000004
【図３】
2007020273.tif 000005
【図４】
2007020273.tif 000006
【図５】
2007020273.tif 000007
【図６】
2007020273.tif 000008
【図７】
2007020273.tif 000009
【図８】
2007020273.tif 000010
【図９】
2007020273.tif 000011
【図１０】
2007020273.tif 000012